(57)【要約】      （修正有）【課題】結線作業の際、吊線やスパイラルハンガーやアンプ、タップオフ等が邪魔にならず、作業性が良い光ケーブル用クロージャを提供する。【解決手段】光通信用の光ケーブル心線からドロップケーブルを分岐する分岐点に設置され、光ケーブル心線とドロップケーブルとの接続部分や光ケーブル心線とドロップケーブルの余長を収納するもので、クロージャボックス１１と、吊線挟持具１２と、ケーブル保護ケーブルカバー１３等を備え、クロージャボックス１１は、上部開放の下箱１１ａと、その下箱１１ａにヒンジ部１１ｃ等を介して開閉可能に取付けられた下部開放の上箱１１ｂとから構成され、下箱１１ａは、ほぼ半円形状に湾曲した湾曲底面１１ａ１を有する一方、上箱１１ｂもほぼ半円形状に湾曲した湾曲上面１１ｂ１を有し、湾曲底面１１ａ１が吊線またはスパイラルハンガーの上に設置される。【選択図】図２
2016065977.tif 000002
【特許請求の範囲】
【請求項１】
光通信用の光ケーブル心線からドロップケーブルを分岐する分岐点に設置され、光ケーブル心線とドロップケーブルとの接続部分や光ケーブル心線とドロップケーブルの余長を収納するクロージャボックスを有する光ケーブル用クロージャであって、
前記クロージャボックスは、吊線またはスパイラルハンガー上に設置可能となるように底面の両側が底面の中央よりも下方に位置することを特徴とする光ケーブル用クロージャ。
【請求項２】
請求項１記載の光ケーブル用クロージャにおいて、
前記クロージャボックスは、
上部開放の下箱と、その下箱にヒンジ部等を介して開閉可能に取付けられた下部開放の上箱とから構成されており、
前記下箱の底面は、スパイラルハンガーの径と近似した径で湾曲していることを特徴とする光ケーブル用クロージャ。
【請求項３】
請求項２記載の光ケーブル用クロージャにおいて、
前記クロージャボックスの上箱の上面は、前記下箱の底面よりも大きな径で湾曲していることを特徴とする光ケーブル用クロージャ。
【請求項４】
請求項１〜請求項３のいずれか一の請求項に記載の光ケーブル用クロージャにおいて、
前記クロージャボックスの底面の中央には、吊線を挟持する吊線挟持具が設けられていることを特徴とする光ケーブル用クロージャ。
【請求項５】
請求項１〜請求項４のいずれか一の請求項に記載の光ケーブル用クロージャにおいて、
吊線またはスパイラルハンガーの長手方向の少なくとも一方の側面には、前記ドロップケーブルを当該光ケーブル用クロージャの内外に通すための挿入孔と、その挿入孔の外側に向かって所定長さだけ延び、前記ドロップケーブルの保護や前記挿入孔からの雨水の浸入の防止等を図るケーブルカバーが設けられており、そのケーブルカバーは、当該光ケーブル用クロージャの側面に対し斜め下方に向かって延びるように取付けられていることを特徴とする光ケーブル用クロージャ。
【発明の詳細な説明】
【技術分野】
【０００１】
本発明は、光通信用の光ケーブル心線からドロップケーブルを分岐する分岐点に設置される光ケーブル用クロージャに関する。
【背景技術】
【０００２】
光通信用の光ケーブルは、例えば局側から加入者宅までの通信網に用いられ、ＦＴＴＨ（Fiber To The Home）を形成する。光ケーブルを加入者宅まで分岐する場合には、ドロップケーブルが用いられ、光ケーブル心線とドロップケーブルとを分岐するためにクロージャボックスを有する光ケーブル用クロージャが用いられる。クロージャボックス内では、光ケーブル心線同士の接続や光ケーブル心線とドロップケーブルとの接続、さらには分岐等が行われる。そして、光ケーブル心線の余長を収納すると共に、ドロップケーブルの余長も収納する（例えば、特許文献１，２参照。）
【先行技術文献】
【特許文献】
【０００３】
【特許文献１】特開２０１０−７２２０２号公報
【特許文献２】特開２００７−１４００２８号公報
【発明の概要】
【発明が解決しようとする課題】
【０００４】
しかし、上述の特許文献１，２に記載の光ケーブル用クロージャは、吊線（メッセンジャワイヤとも言う。）に対し吊り具や吊下げ支持線を介して下方にぶら下げて支持するように構成されているため、光ケーブル心線とドロップケーブルとの結線作業や分岐作業等を行う際、吊線が邪魔になり、作業性が悪いという問題がある。
【０００５】
また、スパイラルハンガーやアンプ、タップオフ等が使用されている場合、上述の特許文献１，２に記載の光ケーブル用クロージャのように吊り下げ方式の場合、装着し難いという問題もある。
【０００６】
そこで、本発明はこのような問題点に着目してなされたもので、結線作業の際、吊線やスパイラルハンガーやアンプ、タップオフ等が邪魔にならず、作業性が良い光ケーブル用クロージャを提供することを目的とする。
【課題を解決するための手段】
【０００７】
前記課題を解決するため、本発明に係る光ケーブル用クロージャは、光通信用の光ケーブル心線からドロップケーブルを分岐する分岐点に設置され、前記光ケーブル心線とドロップケーブルとの接続部分（連結部分）や前記光ケーブル心線とドロップケーブルの余長を収納するクロージャボックスを有する光ケーブル用クロージャであって、前記クロージャボックスは、吊線またはスパイラルハンガー上に設置可能となるように底面の両側が底面の中央よりも下方に位置することを特徴とする。
ここで、前記クロージャボックスは、前記クロージャボックスは、上部開放の下箱と、その下箱にヒンジ部等を介して開閉可能に取付けられた下部開放の上箱とから構成されており、前記下箱の底面は、スパイラルハンガーの径と近似した径で湾曲していると良い。
また、前記クロージャボックスの上箱の上面は、前記下箱の底面よりも大きな径で湾曲しているとさらに良い。
また、前記クロージャボックスの底面の中央には、吊線を挟持する吊線挟持具が設けられているとさらに良い。
また、吊線またはスパイラルハンガーの長手方向の少なくとも一方の側面には、前記ドロップケーブルを当該光ケーブル用クロージャの内外に通すための挿入孔と、その挿入孔の外側に向かって所定長さだけ延び、前記ドロップケーブルの保護や前記挿入孔からの雨水の浸入の防止等を図るケーブルカバーが設けられており、そのケーブルカバーは、当該光ケーブル用クロージャの側面に対し斜め下方に向かって延びるように取付けられているとさらに良い。
【発明の効果】
【０００８】
本発明の光ケーブル用クロージャは、吊線またはスパイラルハンガー上に設置可能となるようにクロージャボックスの底面の両側が中央よりも下方に位置するように湾曲しているため、吊線またはスパイラルハンガー上に設置することができる。その結果、吊線やスパイラルハンガーやアンプ、タップオフ等は、光ケーブル用クロージャの下側になるため、結線作業の際、吊線やスパイラルハンガーやアンプ、タップオフ等が邪魔にならず、作業性が向上する。
また、クロージャボックスを、上部開放の下箱と、その下箱にヒンジ部等を介して開閉可能に取付けられた下部開放の上箱とから構成し、下箱の底面をスパイラルハンガーの径と近似した径で湾曲させた場合には、スパイラルハンガーの上に安定した状態で設置することが可能となり、より作業性が向上する。
【図面の簡単な説明】
【０００９】
【図１】本発明に係る実施形態の光ケーブル用クロージャの平面図である。
【図２】本発明に係る実施形態の光ケーブル用クロージャの正面図である。
【図３】本発明に係る実施形態の光ケーブル用クロージャの側面図である。
【図４】本発明に係る実施形態の光ケーブル用クロージャの底面図である。
【図５】本発明に係る実施形態の光ケーブル用クロージャの上蓋を開けた状態を示す平面図である。
【図６】本発明に係る実施形態の光ケーブル用クロージャの上蓋を開けた状態を示す正面図である。
【図７】本発明に係る実施形態の光ケーブル用クロージャの上蓋を開けた状態を示す左側面図である。
【図８】本発明に係る実施形態の光ケーブル用クロージャの上蓋を開けた状態を示す右側面図である。
【図９】（ａ），（ｂ）それぞれ本発明に係る実施形態の光ケーブル用クロージャを構成する吊線接続具の正面図、背面図である。
【図１０】（ａ），（ｂ）それぞれ本発明に係る実施形態の光ケーブル用クロージャを構成する吊線接続具の右側面図、左側面図である。
【図１１】本発明に係る実施形態の光ケーブル用クロージャを吊線およびスパイラルハンガーの上に設置して光ケーブル心線とドロップケーブルとを結線した状態を示す正面図である。
【図１２】本発明に係る実施形態の光ケーブル用クロージャを吊線およびスパイラルハンガーの上に設置して光ケーブル心線とドロップケーブルとを結線した状態を示す平面図である。
【図１３】本発明に係る実施形態の光ケーブル用クロージャを吊線およびスパイラルハンガーの上に設置して光ケーブル心線とドロップケーブルとを結線した状態を示す側面図である。
【図１４】本発明に係る実施形態の光ケーブル用クロージャを吊線およびスパイラルハンガーの上に設置して光ケーブル心線とドロップケーブルとを結線した状態を示す断面図である。
【図１５】本発明に係る実施形態の光ケーブル用クロージャを吊線およびスパイラルハンガーの上に設置して光ケーブル心線とドロップケーブルとを結線した状態であって、上箱が開いた状態を示す平面図である。
【発明を実施するための形態】
【００１０】
以下、本発明に係る光ケーブル用クロージャ１の実施形態について、図面を参照して説明する。尚、以下に説明する実施形態はあくまで本発明の一例であり、本発明が下記に説明する実施形態に限定されるものはなく、本発明の技術的思想の範囲内で適宜変更可能である。
【００１１】
本実施形態の光ケーブル用クロージャ１は、光通信用の光ケーブル心線２からドロップケーブル３を分岐する分岐点に設置され、光ケーブル心線２とドロップケーブル３との接続部分や光ケーブル心線２とドロップケーブル３の余長を収納するもので、図１〜図８に示すように、クロージャボックス１１と、吊線挟持具１２と、ケーブルカバー１３等を備える。
【００１２】
クロージャボックス１１は、プラスッチック等から形成されており、上部開放の下箱１１ａと、その下箱１１ａにヒンジ部１１ｃ等を介して開閉（回動）可能に取付けられた下部開放の上箱１１ｂとから構成されている。
【００１３】
下箱１１ａは、図２等に示すように、ほぼ半円形状に湾曲した湾曲底面１１ａ１と、湾曲底面１１ａ１の左右両側から水平方向に延びる水平底面１１ａ２，１１ａ２と、水平底面１１ａ２，１１ａ２の外側端部から立設した立設側面１１ａ３，１１ａ３と、湾曲底面１１ａ１の前後両側に設けられたほぼ半円形状でアーチ状に延びるアーチ状側面１１ａ４，１１ａ４とから構成される。
【００１４】
ここで、下箱１１ａの湾曲底面１１ａ１は、クロージャボックス１１が吊線４またはスパイラルハンガー５上に設置可能となるよう、湾曲底面１１ａ１をほぼスパイラルハンガー５の半径と同じ、もしくは若干大きい半径等で湾曲させることにより、湾曲底面１１ａ１の両側が中央よりも下方に位置する形状にしている。
【００１５】
これにより、クロージャボックス１１をスパイラルハンガー５の上に安定した状態で設定することが可能となり、作業性が向上する。
【００１６】
また、湾曲底面１１ａ１の表側には、図５等に示すように、各光ケーブル心線２とドロップケーブル３との接続手段であるスプライスや分岐手段であるカプラ等のスリーブ１８を固定するスリーブホルダ１４が取付けられている。ここで、このスリーブホルダ１４は、各光ケーブル心線２とドロップケーブル３とを接続したスリーブ１８を最大８個まで固定できる。尚、湾曲底面１１ａ１には、吊線挟持具１２を固定するためのネジ孔１１ａ１１，１１ａ１１も設けられている。
【００１７】
また、水平底面１１ａ２，１１ａ２には、クロージャボックス１１内に収容した光ケーブル心線２またはドロップケーブル３を固定したり、光ケーブル心線２またはドロップケーブル３の余長部分を巻き付けたりするためのケーブルホルダ１５やケーブル押え部１６等が設けられていると共に、両側の隅部に水抜き孔１７が設けられている。
【００１８】
また、下箱１１の先端部、すなわちヒンジ部１１ｃに対向する箇所には、図５や図６等に示すように、上箱１１ｂが閉められた際に、後述する上箱１１ｂの各嵌合部１１ｂ４，１１ｂ４が嵌る被嵌合部１１ａ５，１１ａ５が設けられており、上箱１１ｂが閉められた際、下箱１１ａに確実にロックできるように構成されている。
【００１９】
一方、上箱１１ｂは、下箱１１ａの蓋になるもので、下箱１１ａの湾曲底面１１ａ１よりも大きな半径でほぼ半円形状に湾曲した湾曲上面１１ｂ１と、湾曲上面１１ｂ１の左右両側に設けられ垂直に下がる垂下側面１１ｂ２，１１ｂ２と、湾曲上面１１ｂ１の前後両側に設けられたほぼ半円形状に延びるアーチ状側面１１ｂ３，１１ｂ３とを有する。
【００２０】
上箱１１ｂの先端部、すなわちヒンジ部１１ｃに対向する箇所には、図５や図６等に示すように、下箱１１ａに対し上箱１１ｂを閉めた際、下箱１１に設けられた被嵌合部１１ａ５，１１ａ５に嵌る嵌合部１１ｂ４，１１ｂ４が設けられており、上箱１１ｂを閉めた際、下箱１１ａに確実にロックできるように構成されている。
【００２１】
吊線挟持具１２は、図９（ａ），（ｂ）や図１０（ａ），（ｂ）等に示すように、吊線４を挟持する一対の吊線挟持部１２ａ，１２ａと、その一対の吊線挟持部１２ａ，１２ａをほぼクロージャボックス１１の長さだけ離間してネジ（ビス）１２ｃ，１２ｃ等により固定するアーム板１２ｂとから構成されており、後述する図１や図３、図４等に示すようにネジ（ビス）１２ｆ，１２ｆ等により湾曲底面１１ａ１のネジ孔１１ａ１１，１１ａ１１（図５等参照。）に固定される。
【００２２】
一対の吊線挟持部１２ａ，１２ａは、それぞれ、左側吊線挟持部１２ａ１と右側吊線挟持部１２ａ２とから構成されており、締付ボルト１２ｄおよびナット１２ｅによる締付によって左側吊線挟持部１２ａ１と右側吊線挟持部１２ａ２とで吊線４を挟持する。
【００２３】
ケーブルカバー１３は、軟質の塩化ビニルやゴム等から形成され、光通信用の光ケーブル心線２やドロップケーブル３等を通すもので、基端側より先端側が差細に構成されており、下箱１１ａのアーチ状側面１１ａ４，１１ａ４に基端側が取付けられ、かつ、先端側が下方に向かって延びるように取付けられている。
【００２４】
次に、以上のように構成された光ケーブル用クロージャ１の作用について説明する。
【００２５】
図１１〜図１４に示すように、電柱間に張設された吊線４およびスパイラルハンガー５上に、以上のように構成された光ケーブル用クロージャ１を上から被せ、吊線挟持具１２の前後両側の吊線挟持部１２ａ，１２ａで吊線４を挟持して吊線４に固定する。
【００２６】
そのため、吊線挟持具１２によって光ケーブル用クロージャ１を吊線４に確実に固定することができる。
【００２７】
また、この光ケーブル用クロージャ１では、図１１等に示すように、クロージャボックス１１の湾曲底面１１ａ１がスパイラルハンガー５上に設置可能となるようにほぼスパイラルハンガー５の半径と同じ、もしくは若干大きい半径等で湾曲している。
【００２８】
そのため、光ケーブル用クロージャ１を吊線４に確実に固定しつつも、吊線４およびスパイラルハンガー５上に安定した状態で設置することができる。
【００２９】
その結果、吊線４やスパイラルハンガー５やアンプ、タップオフ等は、光ケーブル用クロージャの下側になるため、結線作業の際、吊線４やスパイラルハンガー５やアンプ、タップオフ等が邪魔にならず、作業性が向上する。
【００３０】
次に、光通信用の光ケーブル心線２と、各家庭へのドロップケーブル３とを、ケーブルカバー１３の中を通してクロージャボックス１内へ引き込み、図１５に示すように、クロージャボックス１の上箱１１ｂを開けて、光通信用の光ケーブル心線２と、各家庭へのドロップケーブル３とスリーブ１８等により結線したり分岐等を行って、スリーブ１８をスリーブホルダ１４に固定し、結線や分岐作業等が終了した後、上箱１１ｂを閉め、上箱１１ｂ先端部の嵌合部１１ｂ４，１１ｂ４を、下箱１１先端部の被嵌合部１１ａ５，１１ａ５に嵌めて、上箱１１ｂを下箱１１ａに確実にロックする。
【００３１】
従って、この光ケーブル用クロージャ１によれば、吊線４またはスパイラルハンガー５上に設置可能となるようにクロージャボックス１１の下箱１１ａの湾曲底面１１ａ１は、その両側が中央よりも下方に位置するようにスパイラルハンガー５の半径と同じ、もしくは若干大きい半径等で湾曲しているため、吊線４またはスパイラルハンガー５上に設置することができる。
【００３２】
その結果、吊線４やスパイラルハンガー５やアンプ、タップオフ等は、光ケーブル用クロージャの下側になるため、結線作業の際、吊線４やスパイラルハンガー５やアンプ、タップオフ等が邪魔にならず、作業性が向上する。
【００３３】
特に、クロージャボックス１１の下箱１１ａの湾曲底面１１ａ１は、スパイラルハンガー５の半径と同じ、もしくは若干大きい半径等で湾曲しているため、スパイラルハンガー５上に安定した状態で設置することができる。
【００３４】
また、クロージャボックス１１の下箱１１ａの湾曲底面１１ａ１の中央には、吊線４を挟持する吊線挟持具１２が設けられているため、確実に光ケーブル用クロージャ１を吊線４に固定することができる。
【００３５】
また、クロージャボックス１１の上箱１１ｂの湾曲上面１１ｂ１は、下箱１１ａの湾曲底面１１ａ１よりも大きな半径で、かつ、湾曲底面１１ａ１と同様にほぼ半円形状に湾曲しているため、クロージャボックス１１上に雨水が溜まり難くでき、クロージャボックス１１内に雨水が浸入し難くできると共に、風等の抵抗も受け難い形状となり、光ケーブル用クロージャ１の形状および機能として最適となる。
【００３６】
また、ケーブルカバー１３は、クロージャボックス１１の下箱１１ａのアーチ状側面１１ａ４，１１ａ４に対し斜め下方に向かって延びるように取付けられているため、この点でも雨水が侵入し難く、防滴性を向上させることができる。
【００３７】
また、クロージャボックス１１の下箱１１ａの湾曲底面１１ａ１の中央の高い位置には、各光ケーブル心線２とドロップケーブル３との接続具であるスリーブ１８を固定するスリーブホルダ１４が取付けられている一方、クロージャボックス１１の中で最も高さが低くなる下箱１１ａの水平底面１１ａ２，１１ａ２には水抜き孔１７が設けられているため、たとえクロージャボックス１１内に雨水が浸入したとしても、各光ケーブル心線２とドロップケーブル３との接続部分に雨水の影響を与えることを極力低減できると共に、確実に雨水を外部へ排水することができる。
【００３８】
尚、上記実施形態では、クロージャボックス１１の下箱１１ａの底面１１ａ１および上箱１１ｂの上面１１ｂ１は、湾曲した形状で説明したが、本発明では、この形状に限定される必要はなく、クロージャボックス１１が吊線４またはスパイラルハンガー５上に設置可能となれば十分であるため、底面１１ａ１の両側が底面１１ａ１の中央よりも下方に位置するように三角形や五角形等の多角形で山型（屋根形状）形状でも勿論良く、上箱１１ｂの上面１１ｂ１に至っては、湾曲していようと三角形や五角形等の多角形で山型（屋根形状）形状であろうと、水平形状であろうと、底面１１ａ１の両側が底面１１ａ１の中央よりも下方に位置していて、クロージャボックス１１が吊線４またはスパイラルハンガー５上に設置可能であれば良い。
【符号の説明】
【００３９】
１  光ケーブル用クロージャ
１１  クロージャボックス
１１ａ  下箱
１１ａ１  湾曲底面
１１ａ２，１１ａ２  水平底面
１１ａ３，１１ａ３  立設側面
１１ａ４，１１ａ４  アーチ状側面
１１ａ５，１１ａ５  被嵌合部
１１ｂ  上箱
１１ｂ１  湾曲上面
１１ｂ２，１１ｂ２  垂下側面
１１ｂ３，１１ｂ３  アーチ状側面
１１ｂ４，１１ｂ４  嵌合部
１１ｃ  ヒンジ部
１２  吊線挟持具
１２ａ  吊線挟持部
１２ｂ  アーム板
１２  吊線挟持具
１３  ケーブルカバー
１４  スリーブホルダ
１５  ケーブルホルダ
１６  ケーブル押え部
１７  水抜き孔
１８  スリーブ
２  光ケーブル心線
３  ドロップケーブル
４  吊線
５  スパイラルハンガー
【図１】
2016065977.tif 000003
【図２】
2016065977.tif 000004
【図３】
2016065977.tif 000005
【図４】
2016065977.tif 000006
【図５】
2016065977.tif 000007
【図６】
2016065977.tif 000008
【図７】
2016065977.tif 000009
【図８】
2016065977.tif 000010
【図９】
2016065977.tif 000011
【図１０】
2016065977.tif 000012
【図１１】
2016065977.tif 000013
【図１２】
2016065977.tif 000014
【図１３】
2016065977.tif 000015
【図１４】
2016065977.tif 000016
【図１５】
2016065977.tif 000017